(57)【要約】【課題】  ３次元ＣＡＤの操作方法を知らなくとも、パラメータの変更操作のみで、複数部品からなる３次元形状モデルを簡単に作成可能とする。【解決手段】  パラメータ修正部２００で作成されたパラメータデータを使用し、モデル作成部１００で、３次元ＣＡＤデータのパラメータにパラメータデータを反映することで所望の３次元形状モデルを作成する。すなわち、パラメータ修正部２００の表示データ処理部２０４では、初期値データ処理部２０１で読込まれたテーブルデータのうち、パラメータ値とパラメータ、寸法名、寸法基準から一覧表を作成し表示部への表示を行い、その表中の項目の選択に合わせ、テーブルデータからガイダンスとなる画像ファイル名を検索し、その画像ファイル名を持つ画像ファイルを画像格納部２０７から読込み、表示部２０９で３Ｄ画像表示部３０５と２Ｄ画像表示部３０６に表示する。【選択図】  図１
2005293014.tif 000002
【特許請求の範囲】
【請求項１】
モデル作成時に用いられる元形状データの寸法変更を行い、モデルを作成するモデル作成部と、前記モデル作成部で寸法変更を行う際のパラメータ値を決定するパラメータ修正部とを有しており、
前記モデル作成部は、寸法変更を行う際のパラメータ値を読込むパラメータ読込部と、パラメータ値を、モデル作成時に用いられる元形状データの寸法値に反映させる寸法変更処理部とを備え、
前記パラメータ修正部は、モデル作成時に用いられる元形状の各部の寸法が、パラメータ値および寸法変更部分の画像ファイル名とともに格納されたテーブルデータ格納部と、前記元形状の各部の寸法とパラメータ値と画像ファイル名とを示すデータからなる初期値データを前記テーブルデータ格納部から読込む初期値データ処理部と、前記初期値データを表形式にして表示するとともに寸法変更する箇所の指示に連動して画像データを表示する表示データ処理部と、変更後の寸法を示すデータをテーブルデータ格納部に登録する修正データ登録部と、ＣＡＤモデル作成時に前記寸法変更を反映させるために必要となる寸法値のみをパラメータ格納部に出力するパラメータ情報登録部とを備えていることを特徴とするＣＡＤモデル作成システム。
【請求項２】
前記画像ファイルを複数備えており、これら複数の画像ファイルが、少なくとも、モデル作成時に用いられる元形状である３次元形状を示す画像ファイルと、モデル作成時に用いられる元形状である２次元形状を示す画像ファイルとを含んでいる請求項１に記載のＣＡＤモデル作成システム。
【請求項３】
ＣＡＤモデル作成時に用いられる元形状の各部の寸法と寸法変更を行う際のパラメータ値と寸法変更部分の画像ファイル名とを示すデータからなる初期値データが格納されたテーブル格納部から、前記寸法とパラメータ値と画像ファイル名を読込む初期値データ処理部と、
変更後の寸法を示すデータをテーブルデータ格納部に登録する修正データ登録部と、
ＣＡＤモデル作成時に寸法変更を反映させるために必要となる寸法値のみをパラメータ格納部に出力するパラメータ情報登録部と、
前記初期値データを表形式にして表示するとともに寸法変更する箇所の指示に連動して画像データを表示する表示データ処理部とを備えていることを特徴とするＣＡＤモデルのパラメータ修正装置。
【請求項４】
ＣＡＤシステムを用いて作成されたモデルに関するデータが格納されたモデル形状格納部を有するＣＡＤシステムを用いて実施されるＣＡＤモデル作成方法であって、
ベースとなる元形状モデルの寸法変更を行い、新規のモデルを作成するモデル作成ステップと、前記モデル作成ステップで寸法変更を行う際のパラメータ値を決定するパラメータ修正ステップとを有しており、
前記モデル作成ステップは、寸法変更されたパラメータ値を読込むパラメータ読込ステップと、パラメータ値をモデルデータの寸法値に反映させる寸法変更処理ステップとを含み、
前記パラメータ修正ステップは、ベースとなるモデル形状の初期値データをテーブルデータ格納部から読込む初期値データ処理ステップと、一覧表と画像データを管理する表示データ処理ステップと、修正されたテーブルデータをテーブルデータ格納部に登録する修正データ登録ステップと、ＣＡＤシステムでのパラメータ値の反映に必要となる寸法値のみをパラメータ格納部に出力するパラメータ情報登録ステップとを含んでいることを特徴とするＣＡＤモデル作成方法。
【発明の詳細な説明】
【技術分野】
【０００１】
本発明は、ＣＡＤ（Ｃｏｍｐｕｔｅｒ  Ａｉｄｅｄ  Ｄｅｓｉｇｎ）による設計の分野、特に仕様検討、構想段階のモデル検討に対応したＣＡＤモデル作成システム、ＣＡＤモデルのパラメータ修正装置およびＣＡＤモデル作成方法に関する。
【背景技術】
【０００２】
３次元ＣＡＤの分野では、Ｐｒｏ／ＥＮＧＩＮＥＥＲ（ＰＴＣ社（米国のＰａｒａｍｅｔｒｉｃ  Ｔｅｃｈｎｏｌｏｇｙ社）製の３次元ＣＡＤ用ソフトウェア）に代表されるパラメトリックに寸法変更が可能なさまざまなＣＡＤシステムが設計に利用されている。
【０００３】
これらのソフトウェアでは、固有の操作方法が存在し、実際の操作を行うためには、そのソフトウェアのオペレーションに精通した専門家が必要であり、オペレーションに精通するためには、長期にわたりこのオペレーションに関するトレーニングを受ける必要がある。
【０００４】
本来であれば、構想設計段階や、仕様検討段階から３次元形状モデルの作成を行うことが理想的である。なぜなら、形状の誤認識による伝達ミスなどがなくなり、設計の初期段階での形状の整合性の確認や干渉のチェックを確認することができ、その形状をベースに設計を進めることで精度の高い開発を行うことができるためである。
【０００５】
しかしながら、多くの場合、構想設計段階や、仕様検討段階では寸法のみ、あるいは、２次元ＣＡＤによる図面をベースにした検討図が作成されている。
【０００６】
これは、３次元形状モデルの作成を行うために、仕様検討段階、構想段階の簡単な形状であっても、空間上での配置方法や、寸法連動の考慮など、パラメトリックＣＡＤシステム特有の制約の理解を含め、非常に高いスキルが要求されるためである。
【０００７】
そのため、構想設計段階、仕様検討段階で３次元形状モデルを作成しようとした場合、簡易的な入力の方法が必要になる。実際には、設計の度に構造がまったく変わってしまう製品は珍しく、製品の種別によっては、仕様検討、構想段階で部品の構成が決まっており、前衛機種のデータや、雛形となる形状を利用し寸法値を変更することで必要とする３次元形状モデルの作成が可能になるケースが多い。このようなケースであれば、雛形を利用して３次元形状モデルの簡易入力が可能になる。
【０００８】
３次元形状モデルの簡易入力手法としては、ＣＡＤモデル作成システムにより作成した３次元形状モデルに対し、パラメータ値を一覧表にして、ＨＴＭＬ（Ｈｙｐｅｒ  Ｔｅｘｔ  Ｍａｒｋｕｐ  Ｌａｎｇｕａｇｅ）で一覧表の展開を行い、表中のパラメータ値を修正することで部品を作成する手法が提案されている（例えば、特許文献１参照）。この手法によれば、ＣＡＤ操作の知識がなくとも形状の作成をおこなうことができるという特長がある。
【特許文献１】特開２００１−３３８００１号公報
【発明の開示】
【発明が解決しようとする課題】
【０００９】
しかしながら、特許文献１に開示されているＣＡＤモデル作成システムのように、パラメータ値の一覧表を使用したインターフェイスによる操作を実現する手段は、パラメータ値の総数が少ない単一の単純な形状の場合には、有効であるが、実際に、仕様段階、構想設計段階の複数部品からなるモデルの雛型を作成した場合、３次元形状モデル上で寸法値が示す二点間の位置を表示しても、見る角度により位置が正確に把握できない上に、複数部品であれば、他の部品の影になるなどして位置が確認できないなど、意図した変更を行うための寸法値の個所を容易に特定することが困難になるという課題がある。
【００１０】
また、仕様検討などでは、複数の部門（例えば、カスタマーと開発部門）での検討作業が必要になるため、双方での作業結果の反映ができる仕組みが必要になる。
【００１１】
本発明は、上記課題を解決することを目的としており、その目的は、ＣＡＤ操作の習熟度に関わらず、３次元形状モデルを作成することができるＣＡＤモデル作成システム、ＣＡＤモデルのパラメータ修正装置およびＣＡＤモデル作成方法を提供することにある。
【課題を解決するための手段】
【００１２】
上記課題を解決するため、本発明のＣＡＤモデル作成システムは、モデル作成時に用いられる元形状データの寸法変更を行い、モデルを作成するモデル作成部と、前記モデル作成部で寸法変更を行う際のパラメータ値を決定するパラメータ修正部とで構成されており、モデル作成部とパラメータ修正部との間では、パラメータ格納部を通じて情報を受け渡しが行われるようになっている。
【００１３】
前記モデル作成部は、寸法変更を行う際のパラメータ値を読込むパラメータ読込部と、読み込んだパラメータ値をモデル作成時に用いられる元形状データの寸法値に反映させる寸法変更処理部とを備えている。また、前記パラメータ修正部は、モデル作成時に用いられる元形状の各部の寸法が、パラメータ値および寸法変更部分の画像ファイル名とともに格納されたテーブルデータ格納部と、前記元形状の各部の寸法とパラメータ値と画像ファイル名とを示すデータからなる初期値データを前記テーブルデータ格納部から読込む初期値データ処理部と、前記初期値データを表形式にして表示するとともに寸法変更する箇所の指示に連動して画像データを表示する表示データ処理部と、変更後の寸法を示すデータをテーブルデータ格納部に登録する修正データ登録部と、ＣＡＤモデル作成時に前記寸法変更を反映させるために必要となる寸法値のみをパラメータ格納部に出力するパラメータ情報登録部とを備えている。
【００１４】
すなわち、本発明のＣＡＤモデル作成システムは、パラメータ修正部で作成されたパラメータデータを使用し、モデル作成部で３次元ＣＡＤデータのパラメータにパラメータデータを反映させることで所望の３次元形状モデルを作成するようになっている。つまり、操作者は表示データ処理部に表示されている寸法入力画面を使用することで、３次元形状モデルの変更したいパラメータ値の場所をその寸法が指定している位置を示す２種類の画像により確認しながら、寸法の修正作業を行うことができるものである。
【００１５】
この場合、前記画像ファイルを複数備えており、これら複数の画像ファイルが、少なくとも、モデル作成時に用いられる元形状である３次元形状を示す画像ファイルとモデル作成時に用いられる元形状である２次元形状を示す画像ファイルとを含んで構成してもよい。
【００１６】
また、本発明のＣＡＤモデルのパラメータ修正装置は、ＣＡＤモデル作成時に用いられる元形状の各部の寸法と寸法変更を行う際のパラメータ値と寸法変更部分の画像ファイル名とを示すデータからなる初期値データが格納されたテーブル格納部から、前記寸法とパラメータ値と画像ファイル名を読込む初期値データ処理部と、変更後の寸法を示すデータをテーブルデータ格納部に登録する修正データ登録部と、ＣＡＤモデル作成時に寸法変更を反映させるために必要となる寸法値のみをパラメータ格納部に出力するパラメータ情報登録部と前記初期値データを表形式にして表示するとともに寸法変更する箇所の指示に連動して画像データを表示する表示データ処理部とを備えてなるものである。このような構成の本発明によれば、操作者は表示データ処理部に表示されている寸法入力画面を使用することで、３次元形状モデルの変更したいパラメータ値の場所をその寸法が指定している位置を示す２種類の画像により確認しながら、寸法の修正作業を行うことができる。
【００１７】
さらに、本発明のＣＡＤモデル作成方法は、ＣＡＤシステムを用いて作成されたモデルに関するデータが格納されたモデル形状格納部を有するＣＡＤシステムを用いて実施されるＣＡＤモデル作成方法であって、ベースとなる元形状モデルの寸法変更を行い、新規のモデルを作成するモデル作成ステップと、前記モデル作成ステップで寸法変更を行う際のパラメータ値を決定するパラメータ修正ステップとを有しており、前記モデル作成ステップは、寸法変更されたパラメータ値を読込むパラメータ読込ステップと、パラメータ値をモデルデータの寸法値に反映させる寸法変更処理ステップとを含み、前記パラメータ修正ステップは、ベースとなるモデル形状の初期値データをテーブルデータ格納部から読込む初期値データ処理ステップと、一覧表と画像データを管理する表示データ処理ステップと、修正されたテーブルデータをテーブルデータ格納部に登録する修正データ登録ステップと、ＣＡＤシステムでのパラメータ値の反映に必要となる寸法値のみをパラメータ格納部に出力するパラメータ情報登録ステップとを含んでいるものである。
【発明の効果】
【００１８】
本発明によれば、操作者は表示データ処理部に表示されている寸法入力画面を使用することで、３次元形状モデルの変更したいパラメータ値の場所をその寸法が指定している位置を示す２種類の画像により確認しながら、寸法の修正作業を行うことができ、ＣＡＤ操作の習熟度にかかわらず、３次元形状モデルを作成することができる。また、パラメータ値の修正結果をテーブルデータに保存しておき、記録媒体もしくはネットワーク等を利用してＣＡＤモデル作成システムへテーブルデータを転送することで、パラメータ値を修正したモデルの作成を、別途行うことが可能である。
【発明を実施するための最良の形態】
【００１９】
以下、本発明を実施するための最良の形態について、図面を参照して説明する。
【００２０】
図１は、本発明のＣＡＤモデル作成システムの一実施の形態を示すブロック図、図２は、図１のＣＡＤモデル作成システムを構成するパラメータ修正部で表示されるＧＵＩ（Ｇｒａｐｈｉｃａｌ  Ｕｓｅｒ  Ｉｎｔｅｒｆａｃｅ）画面の一例を示す説明図である。
【００２１】
本発明によるＣＡＤモデル作成システムは、パラメータ値の変更を３次元形状モデルに反映させるモデル作成部１００と、ＧＵＩ画面３０１によりパラメータ値を修正するパラメータ修正部２００とで構成されている。モデル作成部１００と、パラメータ修正部２００との間では、パラメータ格納部２０６を通じて情報の受け渡しが行われる。
【００２２】
モデル作成部１００は、ＣＡＤ装置１０１と、パラメータ修正部２００で修正されたパラメータデータ（パラメータ値を示すデータ）をパラメータ格納部２０６から読込むパラメータ読込部１０３と、パラメータ読込部１０３で読込まれた、修正されたパラメータ値を３次元形状モデルのパラメータ値に反映させる寸法変更処理部１０２とを備えている。
【００２３】
パラメータ修正部２００は、ＧＵＩ画面３０１を表示する表示部２０９と、一覧表の寸法データなどを入力する入力部２０８と、テーブルデータをテーブルデータ格納部２０６から読込む初期値データ処理部２０１と、一覧表で寸法修正したデータをテーブルデータ格納部２０５に登録する修正データ登録部２０２と、修正されたデータをＣＡＤシステムで使用できるファイルで出力するパラメータ情報登録部２０３と、入力部２０８を用いて実施された選択に対応して画像データファイルを読込み表示する表示データ処理部２０４とを備えている。
【００２４】
テーブルデータ格納部２０５には、対応する３次元形状モデルのパラメータ値に付随する情報のテーブルデータがあらかじめ格納されている。
【００２５】
図３は、図１に示すテーブルデータ格納部２０６に格納されているテーブルデータを表す画像の一例を示す説明図である。
【００２６】
テーブルデータ４００は、３次元ＣＡＤシステムで作成した３次元形状モデルから抽出した特定の個所の寸法を表わす一つのパラメータ値に付随する情報であって、パラメータ名４０１と、寸法値４０２と、対象となるパラメータ値の定義位置を示す寸法基準４０３と、寸法基準の参照している対象等を説明した、寸法基準の説明文を示すテキストデータ（例えば、項目名は「寸法基準対象」となっている。）４０４と、パラメータ選択時に表示する２種類の画像ファイル名とから構成されている。
【００２７】
パラメータ名４０１と寸法値４０２とは、３次元形状モデルで定義されたパラメータ名と寸法値とをそのまま使用している。寸法基準の説明文は、対象となるパラメータ値の定義位置と、そのパラメータ値を定義するのに参照している対象名とを用いて記述されている。例えば、図３のテーブルデータ４００は、「ベゼル天面の寸法値であって、ＰＯＬから＋Ｙ方向に寸法パラメータ値として寸法値１００が設定されている」ことを表している。
【００２８】
２種類の画像ファイル名は、２Ｄ（２次元）画像のファイル名と３Ｄ（３次元）画像のファイル名とを示しており、図３のテーブルデータ４００での項目名は、例えば、「２Ｄ画像ファイル名」４０５と「３Ｄ画像ファイル名」４０６となっている。これら２Ｄ画像と３Ｄ画像とは、あらかじめ作成され、画像格納部２０７に格納されている。
【００２９】
図４は、図１に示す画像格納部２０７に格納されている２Ｄ画像の一例を示す説明図である。
【００３０】
２Ｄ画像５００は、３次元形状モデル上の寸法値の位置を示すための画像であり、寸法値が指し示す箇所がわかりやすい位置で３次元形状モデルを切断し、その断面図上に矢印で寸法の箇所を示した画像である。
【００３１】
図５は、図１に示す画像格納部２０７に格納されている３Ｄ画像の一例を示す説明図である。
【００３２】
３Ｄ画像６００は、３次元形状モデルを２Ｄ画像が作成された断面の位置で切断した状態を示すための画像であり、断面の位置が全体のどこの部分であるのかを示した画像である。
【００３３】
一方、ＧＵＩ画面３０１は、図２に示すように、寸法基準を表示する寸法基準表示部３０７と、寸法基準対象を表示する寸法基準対象表示部３０８と、パラメータ値を表示するパラメータ表示部３０９と、寸法基準表示部３０７と、寸法基準対象表示部３０８と、パラメータ表示部３０９を表形式で表示する一覧表表示部３１０と、２Ｄ画像を表示する２Ｄ画像表示部３０６と、３Ｄ画像表示部３０５と、一覧表の変更箇所を保存する変更保存ボタン３０３と、一覧表の変更箇所を３次元ＣＡＤシステムで読込める形式で保存する中間ファイル保存ボタン３０２と、パラメータ編集を終了する終了ボタン３０４とを備えている。
【００３４】
なお、前記初期値データ処理部２０１と修正データ登録部２０２とパラメータ情報登録部２０３と表示データ処理部２０４とによって本発明に係るＣＡＤモデルのパラメータ修正装置を構成している。
【００３５】
次に、本発明のＣＡＤモデル作成のシステムによってＣＡＤモデル作成方法を実施することにより３次元モデルを作成する手順を、図６に示すフローチャートを参照して説明する。
【００３６】
図６は、本発明のＣＡＤモデル作成方法を説明するためのフローチャートである。なお、図６において、実線矢印は手順の流れを示しており、破線矢印はデータの送受信のタイミングや送受信場所を示している。
【００３７】
操作者は、モデル作成部１００においてＣＡＤ装置１０１を使用し、修正する３次元形状モデルをモデル形状格納部１０４から読込む（ステップＳ１）。
【００３８】
３次元形状モデルに対してパラメータ修正を行わない場合（ステップＳ２での判断結果が「ＮＯ」である場合）、通常のＣＡＤ装置の動作に戻る。一方、３次元形状モデルに対してパラメータ修正を行う場合（ステップＳ２での判断結果が「ＹＥＳ」である場合）、テーブルデータ格納部２０５から初期値データ処理部２０１へ、修正する３次元形状モデルに対応したテーブルデータを読み込む（ステップＳ３）。
【００３９】
初期値データ処理部２０１は、テーブルデータの中からパラメータ値と寸法基準と寸法基準対象とを使用して一覧表を作成し、ＧＵＩ画面３０１のパラメータ表示部３０９にパラメータ値を表示し、寸法基準表示部３０７に寸法基準を表示し、寸法基準対象表示部３０８に寸法基準対象を表示することによりＧＵＩ画面３０１の表示を行う（ステップＳ４）。
【００４０】
ここで、操作者は、ＧＵＩ画面３０１の一覧表から、まず、寸法基準表示部３０７と寸法基準対象表示部３０８との説明文で変更したいパラメータ値の位置を絞り込む。そして、その位置が３次元形状モデル上で変更したい箇所であるかを確認する場合には、寸法基準表示部３０７、寸法基準対象表示部３０８またはパラメータ表示部３０９をマウスで選択する。
【００４１】
寸法基準表示部３０７、寸法基準表示部３０８またはパラメータ表示部３０９が選択された場合（ステップＳ５での判断結果が「ＹＥＳ」である場合）はステップＳ６へ、その他の項目が選択された場合（ステップＳ５での判断結果が「ＮＯ」である場合）はステップＳ１０へ処理が進む。
【００４２】
表示データ処理部２０４では、選択された項目にかかわるテーブルデータを検索し、同じテーブルデータに含まれる画像名を検索し読込む（ステップＳ６）。読込まれた画像名に従い、画像格納部２０７から画像ファイルを読込む（ステップＳ７）。ＧＵＩ画面３０１の２Ｄ画像表示部３０６に２Ｄ画像ファイル名を持つ画像を表示し、３Ｄ画像表示部３０５に３Ｄ画像ファイル名を持つ画像ファイルを表示する。（ステップＳ８）
ここで、操作者は、表示された画像で変更する寸法が意図したものであるかを確認し、意図どおりであれば、パラメータ表示部３０９を選択し、新規の寸法を入力する。その結果、表示データ処理部２０４はテーブルデータの値を修正し（ステップＳ９）、ステップＳ１０の処理に進む。
【００４３】
修正の作業途中の状態を保存するには、操作者がＧＵＩ画面３０１上の変更保存ボタン３０３を選択する。この選択により、ステップＳ１０でテーブルデータの保存であると判断される（ステップＳ１０で「ＹＥＳ」と判断される）。これにより、修正データ登録部２０２は、修正中のパラメータ表示部３０９の値を、テーブルデータ格納部２０５の値に上書きする（ステップＳ１１）。なお、操作者がＧＵＩ画面３０１上の変更保存ボタン３０３を選択していない場合は、ステップＳ１０での判断結果が「ＮＯ」となり、ステップＳ１２の処理に進む。
【００４４】
変更結果がモデル形状に反映されているかを確認するには、操作者はＧＵＩ画面３０１上で中間ファイル保存ボタン３０２を選択する。この選択により、ステップ１２での判断結果が「ＹＥＳ」となる。これにより、パラメータ情報登録部２０３は、修正中のパラメータ表示部３０９の値をパラメータ格納部２０６に保存する（ステップＳ１３）。なお、操作者がＧＵＩ画面３０１上の中間ファイル保存ボタン３０２を選択していない場合は、ステップＳ１２での判断結果が「ＮＯ」となり、ステップＳ１４の処理に進む。
【００４５】
図７は、図１に示すパラメータ格納部２０６に保存されている中間ファイルの一例を示す説明図である。
【００４６】
中間ファイル７００は、寸法基準７０１と寸法基準対象７０２とパラメータ値７０３とを示す３つの項目から構成されている。ここでは、寸法基準７０１は「ベゼル天面」になっており、寸法基準対象７０２は「ＰＯＬからＹ＋方向に」になっており、パラメータ値７０３は「１００．０」になっている。
【００４７】
パラメータ格納部２０６は、モデル作成部１００で読み込むことを目的としたパラメータ名とパラメータ値とを示すパラメータデータを格納している。
【００４８】
図８は、図１に示すパラメータ格納部２０６に保存されているパラメータデータの一例を示す説明図である。
【００４９】
ここでは、パラメータ名８０１は「ｄ１」となっており、パラメータ値８０２は「１００．０」となっている。
【００５０】
操作者は、すべての寸法変更箇所の修正が終わるまで（ステップＳ１４での判断結果が「ＮＯ」である間は）、上記ステップＳ４〜ステップＳ１３を繰り返し、必要な個所の寸法修正を行う。
【００５１】
その後、操作者は、すべての寸法変更の操作が終了したら、パラメータ修正の終了を指示するためにＧＵＩ画面３０１上の終了ボタン３０４を選択し、変更作業を終了する（ステップＳ１４での判断結果が「ＹＥＳ」になる）。
【００５２】
続いて、操作者は、変更結果をモデルに反映させるため、入力部２０８を用いて、モデル作成部１００からのパラメータ値の読込みを指示する。パラメータ読込部１０３は、パラメータ格納部２０６からパラメータ名とパラメータ値とを読込み、寸法変更処理部１０２では、３次元形状モデルのパラメータ値を更新する（ステップＳ１５）。そして、ＣＡＤ装置１０１で、表示部に表示する３次元形状モデルの形状へ反映を行い（ステップＳ１６）、モデルデータの形状変更を実施し（ステップＳ１７）、通常のＣＡＤ装置の動作に戻る。
【００５３】
本発明によるモデル作成システムは、モデル作成部１００でＣＡＤ装置が存在しない場合、パラメータ修正部２００単体で、テーブルデータを選択し、読み込むことで独立して動作する。また、パラメータ値の修正結果はテーブルデータに保存しておき、記録媒体もしくは、ネットワーク等を利用してＣＡＤ装置へテーブルデータを転送することで、パラメータ値を修正した３次元形状モデルの作成を行うことが可能である。
【００５４】
以上説明した本発明のＣＡＤモデル作成システムは、モデル作成部１００とパラメータ修正部２００とに格納されているＣＡＤプログラムにより実現される。このプログラムはコンピュータで読取り可能な記録媒体に格納されている。本発明では、この記録媒体として、マイクロコンピュータで処理が行われるために必要な図示していないメモリ、例えばＲＯＭ（Ｒｅａｄ  Ｏｎｌｙ  Ｍｅｍｏｒｙ）のようなものそのものがプログラムメディアであってもよいし、また図示していないが外部記憶装置としてプログラム読取装置が設けられ、そこに記録媒体を挿入することで読取り可能なプログラムメディアであってもよい。
【００５５】
いずれの場合においても、格納されているプログラムはマイクロプロセッサがアクセスして実行させる構成であってもよいし、あるいはいずれの場合もプログラムを読み出し、読み出されたプログラムは、マイクロコンピュータの図示されていないプログラム記憶エリアにダウンロードされて、そのプログラムが実行される方式であってもよい。このダウンロード用のプログラムは予め本体装置に格納されているものとする。
ここで上記プログラムメディアは、本体と分離可能に構成される記録媒体であり、磁気テープやカセットテープ等のテープ系、フロッピーディスクやハードディスク等の磁気ディスクやＣＤ−ＲＯＭ（Ｃｏｍｐａｃｔ  Ｄｉｓｃ  Ｒｅａｄ  Ｏｎｌｙ  Ｍｅｍｏｒｙ）／ＭＯ（ｍａｇｎｅｔｏ−ｏｐｔｉｃ）／ＭＤ（Ｍｉｎｉ−Ｄｉｓｋ）／ＤＶＤ（Ｄｉｇｉｔａｌ  Ｖｅｒｓａｔｉｌｅ  Ｄｉｓｋ）等の光ディスクのディスク系、ＩＣ（Ｉｎｔｅｇｒａｔｅｄ  ｃｉｒｃｕｉｔ）カード（メモリカードを含む）／光カード等のカード系、あるいはマスクＲＯＭ、ＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、フラッシュＲＯＭ等による半導体メモリを含めた固定的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。
【産業上の利用可能性】
【００５６】
本発明のＣＡＤモデル作成システム、ＣＡＤモデルのパラメータ修正装置およびＣＡＤモデル作成方法は、作成後のＣＡＤモデルに修正を加えるような場合に活用できる。
【図面の簡単な説明】
【００５７】
【図１】本発明のＣＡＤモデル作成システムの一実施の形態を示すブロック図である。
【図２】図１のＣＡＤモデル作成システムを構成するパラメータ修正部で表示されるＧＵＩ画面の一例を示す説明図である。
【図３】図１に示すＣＡＤモデル作成システムを構成するテーブルデータ格納部に格納されているテーブルデータを表す画像の例を示す説明図である。
【図４】図１に示すＣＡＤモデル作成システムを構成する画像格納部に格納されている２Ｄ画像の一例を示す説明図である。
【図５】図１に示すＣＡＤモデル作成システムを構成する画像格納部に格納されている３Ｄ画像の一例を示す説明図である。
【図６】本発明のＣＡＤモデル作成方法を説明するためのフローチャートである。
【図７】本発明のＣＡＤモデル作成システムを構成するパラメータ格納部に保存されている中間ファイルの一例を示す説明図である。
【図８】本発明のＣＡＤモデル作成システムを構成するパラメータ格納部に保存されているパラメータデータの一例を示す説明図である。
【符号の説明】
【００５８】
１００  モデル作成部
１０１  ＣＡＤ装置
１０２  寸法変更処理部
１０３  パラメータ読込部
１０４  モデル形状格納部
２００  パラメータ修正部
２０１  初期値データ処理部
２０２  修正データ登録部
２０３  パラメータ情報登録部
２０４  表示データ処理部
２０５  テーブルデータ格納部
２０６  パラメータ格納部
２０７  画像格納部
２０８  入力部
１０９  出力部
３０１  ＧＵＩ画面
３０２  中間ファイル保存ボタン
３０３  変更保存ボタン
３０４  終了ボタン
３０５  ３Ｄ画像表示部
３０６  ２Ｄ画像表示部
３０７  寸法基準表示部
３０８  寸法基準対象表示部
３０９  パラメータ表示部
３１０  一覧表表示部
【図１】
2005293014.tif 000003
【図２】
2005293014.tif 000004
【図３】
2005293014.tif 000005
【図４】
2005293014.tif 000006
【図５】
2005293014.tif 000007
【図６】
2005293014.tif 000008
【図７】
2005293014.tif 000009
【図８】
2005293014.tif 000010